(57)【要約】  【課題】簡単な構造で不要な力が可変抵抗器に作用しない制御装置を提供すること。  【解決手段】  操作ツマミ１０は、パネル１１に形成されたガイド孔１１ｂに挿入された摺動レバー２１に固着され、ガイド孔１１ｂに沿って操作される。摺動レバー２１は、摺動部２０を構成するレール部２３（図２参照）に沿って摺動する。レール部２３とスライドボリューム３０は、プリント基板４０上に平行に配設され、摺動レバー２１とスライドボリューム３０の操作レバー３０ａとが連結部材３１により連結されている。  【選択図】    図１
2005311258.tif 000002
【特許請求の範囲】
【請求項１】
操作ツマミと、
その操作ツマミが固着される摺動レバーを有し前記操作ツマミが操作されることにより摺動する摺動部と、
操作レバーを移動することにより抵抗値が変化する可変抵抗器と、
前記摺動レバーと前記操作レバーとを連結し、前記操作レバーの移動方向に垂直な方向に対する力を緩和する連結部とを備えていることを特徴とする制御装置。
【請求項２】
操作ツマミと、
その操作ツマミが固着される摺動レバーを有し前記操作ツマミが操作されることにより摺動する第１の可変抵抗器と、
操作レバーを移動することにより抵抗値が変化する第２の可変抵抗器と、
前記摺動レバーと前記操作レバーを連結し、前記操作レバーの移動方向に垂直な方向に対する力を緩和する連結部とを備えていることを特徴とする制御装置。
【請求項３】
前記連結部は、弾性を有する弾性部材により形成されていることを特徴とする請求項１または２記載の制御装置。
【請求項４】
前記連結部は、前記摺動レバーおよび操作レバーを挿入する挿入孔を有し、その挿入孔は、操作レバーの移動方向に垂直な方向に遊びを形成していることを特徴とする請求項１または２記載の制御装置。
【発明の詳細な説明】
【技術分野】
【０００１】
本発明は、ビデオ機器、オーディオ機器などにおいて映像や楽音を切り替えたり音量を調整するなどの制御を行う制御装置に関する。
【背景技術】
【０００２】
特開平９−２８９１０２号公報（特許文献１）には、スライド形可変抵抗器を用いた制御装置において、各種の操作感覚に対応の容易なスライド操作機構を設け、この操作機構を介して標準タイプのスライドボリュームを操作する制御装置が開示されている。
【特許文献１】特開平９−２８９１０２号公報
【発明の開示】
【発明が解決しようとする課題】
【０００３】
ディスクジョッキー（略してＤＪ）では、複数の音楽再生装置やビデオ再生装置からの入力を切り替えて音楽や映像の再生を楽しむことが行われている。ここで使用されるＤＪミキサーでは、クロスフェーダと呼ばれる制御装置が用いられ、複数のソースから供給される音楽や映像を切り替える操作が行われる。
【０００４】
この操作は、再生される音楽のビートやテンポ、あるいは映像のシーンに合わせ、操作子が急激に操作されることがある。この場合に操作子に力が込められるようになり、クロスフェーダを構成している可変抵抗器の抵抗皮膜に余分な力が垂直あるいは、斜めの方向に作用し、抵抗膜が損傷したり、早く摺り減るという問題点があった。
【０００５】
特許文献１に開示されている制御装置によれば、質感のある操作力等の各種の操作感覚に対応できるように、長い溝状の収容部を有する箱形のケースと、そのケースの中を摺動可能に保持され、操作レバーをそのケースから突出させた摺動体と、その摺動体の後面の穴にスライドボリュームのレバーが嵌合されている。したがって、操作ツマミに加えられた力は、摺動体が受け、スライドボリュームには直接作用しないのでスライドボリュームは損傷を受けないとしている。しかしながら、この構造は複雑であり、制御装置が高価になるという問題点があった。
【０００６】
本発明は、上述した問題点を解決するためになされたものであり、簡単な構造で不要な力が可変抵抗器に作用しない制御装置を提供することを目的としている。
【課題を解決するための手段】
【０００７】
この目的を達成するために、請求項１記載の制御装置は、操作ツマミと、その操作ツマミが固着される摺動レバーを有し前記操作ツマミが操作されることにより摺動する摺動部と、操作レバーを移動することにより抵抗値が変化する可変抵抗器と、前記摺動レバーと前記操作レバーとを連結し、前記操作レバーの移動方向に垂直な方向に対する力を緩和する連結部とを備えている。
【０００８】
請求項２記載の制御装置は、操作ツマミと、その操作ツマミが固着される摺動レバーを有し前記操作ツマミが操作されることにより摺動する第１の可変抵抗器と、操作レバーを移動することにより抵抗値が変化する第２の可変抵抗器と、前記摺動レバーと前記操作レバーを連結し、前記操作レバーの移動方向に垂直な方向に対する力を緩和する連結部とを備えている。
【０００９】
請求項３記載の制御装置は、請求項１または２記載の制御装置において、前記連結部は、弾性を有する弾性部材により形成されている。
【００１０】
請求項４記載の制御装置は、請求項１または２記載の制御装置において、前記連結部は、前記摺動レバーおよび操作レバーを挿入する挿入孔を有し、その挿入孔は、操作レバーの移動方向に垂直な方向に遊びを形成している。
【発明の効果】
【００１１】
請求項１記載の制御装置によれば、操作ツマミが固着される摺動レバーを有し操作ツマミが操作されることにより摺動する摺動部と、操作レバーを移動することにより抵抗値が変化する可変抵抗器と、摺動レバーと操作レバーとを連結し、操作レバーの移動方向に垂直な方向に対する力を緩和する連結部とを備えているので、簡単な構成により可変抵抗器に損傷を与えるような不要な力が作用することを防止することができるという効果がある。
【００１２】
請求項２記載の制御装置によれば、操作ツマミが固着される摺動レバーを有し操作ツマミが操作されることにより摺動する第１の可変抵抗器と、操作レバーを移動することにより抵抗値が変化する第２の可変抵抗器と、摺動レバーと操作レバーを連結し、操作レバーの移動方向に垂直な方向に対する力を緩和する連結部とを備えているので、第１の可変抵抗器を市販の安価な部材により構成することができ、第２の可変抵抗器に損傷を与えるような不要な力が作用することを防止することができるという効果がある。
【００１３】
請求項３記載の制御装置によれば、請求項１または２記載の制御装置の奏する効果に加え、連結部は、弾性を有する弾性部材により形成されているので、簡単な構造で安価に製造できるという効果がある。
【００１４】
請求項４記載の制御装置によれば、請求項１または２記載の制御装置の奏する効果に加え、連結部は、摺動レバーおよび操作レバーを挿入する挿入孔を有し、その挿入孔は、操作レバーの移動方向に垂直な方向に遊びを形成しているので、簡単な構造で安価に製造できるという効果がある。
【発明を実施するための最良の形態】
【００１５】
以下、本発明の好ましい実施例について、添付図面を参照して説明する。図１は、本発明の制御装置である可変抵抗器ユニット１を示す図であって、（ａ）は、外観を、（ｂ）は、（ａ）に示す図からパネル１１を省いて示す図である。
【００１６】
操作ツマミ１０は、パネル１１に形成されたガイド孔１１ｂに挿入された摺動レバー２１に固着され、ガイド孔１１ｂに沿って操作される。摺動レバー２１は、摺動部２０を構成するレール部２３（図２参照）に沿って摺動する。レール部２３とスライドボリューム３０は、プリント基板４０上に平行に配設され、摺動レバー２１とスライドボリューム３０の操作レバー３０ａとが連結部材３１により連結されている。
【００１７】
パネル１１には、この可変抵抗器ユニット１をオーディオ機器などに取り付ける２つの取り付け穴１１ａと摺動レバー２１が挿入されスライドボリューム３０を操作するガイド孔１１ｂが形成されている。
【００１８】
図示されていないが、パネル１１の裏面にはガイド孔１１ｂに沿ってフェルトが貼り付けられ、ガイド孔１１ｂの長穴中央の長手方向に切り欠きが形成され、その切り欠きに摺動レバー２１が挿入されている。この切り欠きは、常時閉じることにより塵の侵入を塞ぎ、摺動レバー２１が通過する場合には摺動レバー２１の厚さだけ開く。
【００１９】
スライドボリューム３０は、その端子がプリント基板４０にはんだ付けされ、プリント基板４０に形成された回路を介してスライドボリューム３０の操作レバー３０ａを操作することにより、例えば２つの入力の一方の音量レベルを上げると、他方の音量レベルが下がるように構成されている。
【００２０】
摺動部２０は、図２に示すように、操作ツマミ１０が装着される摺動レバー２１、その摺動レバー２１を固着し、レール部２３の底板の上面を転がるローラ２４を有する摺動部材２２を有し、レール部２３の両端にはストッパ２７が形成されている。摺動部材２２には、凸部２５が設けられ、レール部２３に設けられた凹部２６に勘合している。
【００２１】
操作ツマミ１０をレール部２３に沿って力を作用させると、ローラ２４がレール部２３の底板の上を回転し、摺動部材２２がレール部２３を挟持しながら滑らかに移動する。
【００２２】
レール部２３の両端のストッパ２７の間の長さは、スライドボリューム３０のストロークより短く設定されている。
【００２３】
摺動部材２２がレール部２３に沿って移動すると、スライドボリューム３０の操作レバー３０ａも移動する。この時、レール部２３の長手方向に対して垂直な平面においてレール部２３に作用する力は、摺動部材２２により吸収されるため、スライドボリューム３０の操作レバー３０ａには、スライドボリューム３０の長手方向への力が作用するのみで、スライドボリューム３０の長手方向に垂直な力が作用しない。
【００２４】
図３は、図１における摺動部２０をスライドボリューム５０に置き換えた場合を示す図で、スライドボリューム５０は、ダミーであって電気的な回路を構成せず、単に摺動部材として機能する。図１に示す摺動部２０と同様に、その長手方向に対して垂直な平面においてスライドボリューム５０に作用する力を吸収し、スライドボリューム３０の操作レバー３０ａには、スライドボリューム３０の長手方向への力が作用するのみで、スライドボリューム３０の長手方向に垂直な力が作用しない。
【００２５】
スライドボリューム５０は、市販のものを使用することができるので、安価に入手することができる。このスライドボリューム５０は、スライドボリューム３０と同一のものを使用してもよいし、別のものでもよい。例えば、スライドボリューム３０は、電気的な耐久性に優れた高価なものを使用し、スライドボリューム５０に耐久性が低い安価なものを使用することができる。
【００２６】
また、スライドボリューム５０は、電気的な機能は不要であるので、抵抗皮膜や電気回路を構成する部品などの一部を省いたものでもよい。
【００２７】
つぎに図４を参照して連結部材３１の変形例について説明する。（ａ）に示す連結部材３２の操作レバー３０ａが挿入される挿入孔は、スライドボリューム３０の長手方向の辺は、操作レバー３０ａの長手方向の長さと略同一で遊びはないが、長手方向と垂直方向は、十分な遊び（逃げ）のスペースが形成され、垂直方向の力が作用しないように構成されている。
【００２８】
（ｂ）に示す連結部材３３は、操作レバー３０ａが挿入される部分と、摺動レバー２１が挿入される部分の間に伸縮自在な可撓部を形成したものであり、（ａ）の場合と同様に
スライドボリューム３０の長手方向には、力が作用するが、長手方向と垂直な方向には力が作用しないように構成されている。
【００２９】
（ｃ）に示す連結部材３４は、連結部材３２と同様な形状であり、可撓性を有する板バネにより形成されている。
【００３０】
（ｄ）に示す連結部材３５は、操作レバー３０ａが挿入される連結板と、摺動レバー２１が挿入される連結板とが凹凸により組合わせられたものであり、組み合わせ部分は、スライドボリューム３０の長手方向と垂直な方向には、自在にスライドするため、スライドボリューム３０の長手方向にのみ力が作用するように構成されている。
【００３１】
つぎに図５を参照して、摺動部２０（またはスライドボリューム５０）とスライドボリューム３０との配置の変形例につてい説明する。（ａ）は、図１に示すユニットの側面図であり、プリント基板４０上に摺動部２０とスライドボリューム３０とが配置されている。
【００３２】
（ｂ）は、スライドボリューム３０を、（ａ）の場合とは逆向きに配置した場合を示すもので、この配置の場合は、パネル１１に設けた摺動レバー２１が挿入されるガイド孔１１ｂから侵入する塵がスライドボリューム３０に侵入するのを防ぐことができる。
【００３３】
（ｃ）は、操作レバー３０ａが摺動レバー２１に対して垂直になるようにスライドボリューム３０を配置した場合を示すもので、（ｂ）の場合と同様に塵の侵入を防ぐことができる。
【００３４】
（ｄ）は、摺動部２０の下段にスライドボリューム３０を配置した場合で、（ｂ）、（ｃ）と同様に塵の侵入を防止することができるとともに、設置幅を少なくすることができる。
【００３５】
（ｅ）は、（ｄ）の変形例であって、スライドボリューム３０の向きを上下逆にしたものである。この場合は、（ｄ）に比べ、プリント基板４０に摺動部２０とスライドボリューム３０とを取付けることができるので、部品点数が少なく、安価に形成することができる。
【００３６】
図６は、可変抵抗器ユニット１の変形例を示す図であって、操作ツマミ１０とパネル１１と摺動部２０（またはスライドボリューム５０）と連結部材３１とプリント基板４０とを交換可能なユニットとし、スライドボリューム３０は、図示しない装置本体に設けられたプリント基板にはんだ付けされている。このユニットを装着する場合には、連結部材３１に形成された挿入孔にスライドボリューム３０の操作レバー３０ａを挿入し、更にプリント基板４０の位置合わせ孔４０ａにスライドボリューム３０の本体を挿入し、パネル１１をパネル本体に設けられた螺子孔に螺子で固定する。このことにより、安価な摺動部２０またはスライドボリューム５０を容易に交換することができ、電気的に接続されているスライドボリューム３０は、交換されないので、交換時に発生する電気的トラブルを防止することができるとともに、コネクタなどの配線を変更するための部品が不要である。
【００３７】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００３８】
例えば、上記実施例における連結部材３２は、摺動レバーを挿入する挿入孔には遊びを形成せず、可変抵抗器の操作レバーを挿入する挿入孔に遊びを形成したが、これとは逆に、操作レバーを挿入する挿入孔に遊びを形成せず、摺動レバーを挿入する挿入孔に遊びを形成してもよい。
【００３９】
また、上記挿入孔は、四方に辺を有する四角孔としたが、一方が開放されたコの字型の溝状でもよい。
【図面の簡単な説明】
【００４０】
【図１】本発明の制御装置１を示す図であり、（ａ）は、抵抗器ユニットの外観図、（ｂ）は、パネルを省いた図である。
【図２】摺動部の詳細に示す図である。
【図３】操作ツマミが取りつけられた第１の可変抵抗器とその可変抵抗器に連結された第２の可変抵抗器を示す図である。
【図４】摺動部と可変抵抗器を連結する連結部材の変形例を示す図である。
【図５】摺動部と可変抵抗器の配置の変形例を示す図である。
【図６】可変抵抗器ユニットの変形例を示す図である。
【符号の説明】
【００４１】
１                      可変抵抗器ユニット
１０                    操作ツマミ
１１                    パネル
２０                    摺動部
２１                    摺動レバー
３０                    スライドボリューム（第２の可変抵抗器）
３０ａ                  操作レバー
３１                    連結部材
４０                    プリント基板
５０                    第１の可変抵抗器
【図１】
2005311258.tif 000003
【図２】
2005311258.tif 000004
【図３】
2005311258.tif 000005
【図４】
2005311258.tif 000006
【図５】
2005311258.tif 000007
【図６】
2005311258.tif 000008